(57)【要約】【課題】電話発信または特定操作と連動して音声を自動録音し、予め登録した通報先に前記自動録音した音声ファイルを添付した電子メールを自動的に送信する、電話発信または特定操作と連動する通報機能を有する電話装置を提供する。【解決手段】特定電話番号発信検知手段が特定電話番号への電話発信を検知した場合に、通話音声録音手段は当該特定電話番号の相手との通話音声を自動的に録音し、前記録音した通話音声を変換した音声ファイルが添付された電子メールを自動的に送信する。【選択図】図１
2011188078.tif 000002
【特許請求の範囲】
【請求項１】
通話音声を録音する通話音声録音手段と、予め定められた宛先へ自動的に発信して所定の音声を送出するまたは所定の電子メールを自動的に送信する自動通報手段を備える電話装置であって、
特定電話番号を登録する特定電話番号登録手段と、電話発信または電子メール送信による通報先を登録する通報先登録手段と、前記特定電話番号登録手段に登録された特定電話番号への電話発信を検知する特定電話番号発信検知手段と、を有し、
前記特定電話番号発信検知手段が特定電話番号への電話発信を検知した場合に、前記通話音声録音手段は当該特定電話番号の相手との通話音声を自動的に録音し、前記自動通報手段は前記通報先登録手段に登録された通報先へ、前記通話音声録音手段が録音した通話音声を自動的に送出するまたは前記録音した通話音声を変換した音声ファイルが添付された電子メールを自動的に送信することを特徴とする電話発信と連動する通報機能を有する電話装置。
【請求項２】
通話音声を録音する通話音声録音手段と、予め定められた宛先へ自動的に発信して所定の音声を送出するまたは所定の電子メールを自動的に送信する自動通報手段を備える電話装置であって、
前記通話音声録音手段と前記自動通報手段を特定操作により自動的に起動する特定操作起動手段と、電話発信または電子メール送信による通報先を登録する通報先登録手段と、前記特定操作を検知する特定操作検知手段と、を有し、
前記特定操作検知手段が前記特定操作を検知した場合に、前記通話音声録音手段は自電話装置が備えるマイクからの音声を入力して自動的に録音し、前記自動通報手段は前記通報先登録手段に登録された通報先へ、前記通話音声録音手段が録音した、もしくは録音中の音声を自動的に送出するまたは前記録音した音声を変換した音声ファイルが添付された電子メールを自動的に送信することを特徴とする特定操作と連動する通報機能を有する電話装置。
【請求項３】
請求項１または２に記載の電話装置において、
自電話装置は位置検索手段を備える携帯電話機であって、前記自動通報手段は前記位置検索手段が検索した自電話装置が存在する位置に係わる情報を付加して通報することを特徴とする電話発信または特定操作と連動する通報機能を有する電話装置。
【発明の詳細な説明】
【技術分野】
【０００１】
本発明は、電話発信または特定操作の際に予め設定してある通報先に通報する機能を有する電話装置に関する。
【背景技術】
【０００２】
ＩＰ電話接続装置において、緊急通報や特定の電話先への接続に際し、同時に予め登録したメールアドレスに緊急通報またはそれに伴う通知が警察、消防等以外の連絡先に自動送信される技術がある（例えば特許文献１）。しかしながら、特許文献１の技術では、予め登録したメールアドレスに自動送信されるメールは予め設定したメッセージであり、緊急通報の詳細内容はわからないという欠点がある。
【０００３】
また、予め登録したメールアドレスに自動送信されるメールは、緊急通報や特定の電話先への接続に際し、発信時のみであるという欠点がある。
【先行技術文献】
【特許文献】
【０００４】
【特許文献１】特開２００４−３６３７１１号公報
【発明の概要】
【発明が解決しようとする課題】
【０００５】
そこで、本発明の課題は、緊急通報を含む特定の電話先への電話発信または特定操作と連動して音声を自動録音し、予め登録した通報先に対して前記録音した音声を自動的に送出または音声ファイルが添付された電子メールを自動的に送信する、電話発信または特定操作と連動する通報機能を有する電話装置を提供することにある。
【課題を解決するための手段】
【０００６】
本発明の電話装置は、通話音声を録音する通話音声録音手段と、予め定められた宛先へ自動的に発信して所定の音声を送出するまたは所定の電子メールを自動的に送信する自動通報手段を備える電話装置であって、特定電話番号を登録する特定電話番号登録手段と、電話発信または電子メール送信による通報先を登録する通報先登録手段と、前記特定電話番号登録手段に登録された特定電話番号への電話発信を検知する特定電話番号発信検知手段と、を有し、前記特定電話番号発信検知手段が特定電話番号への電話発信を検知した場合に、前記通話音声録音手段は当該特定電話番号の相手との通話音声を自動的に録音し、前記自動通報手段は前記通報先登録手段に登録された通報先へ、前記通話音声録音手段が録音した通話音声を自動的に送出するまたは前記録音した通話音声を変換した音声ファイルが添付された電子メールを自動的に送信することを特徴とする。
【０００７】
また、本発明の電話装置は、通話音声を録音する通話音声録音手段と、予め定められた宛先へ自動的に発信して所定の音声を送出するまたは所定の電子メールを自動的に送信する自動通報手段を備える電話装置であって、前記通話音声録音手段と前記自動通報手段を特定操作により自動的に起動する特定操作起動手段と、電話発信または電子メール送信による通報先を登録する通報先登録手段と、前記特定操作を検知する特定操作検知手段と、を有し、前記特定操作検知手段が前記特定操作を検知した場合に、前記通話音声録音手段は自電話装置が備えるマイクからの音声を入力して自動的に録音し、前記自動通報手段は前記通報先登録手段に登録された通報先へ、前記通話音声録音手段が録音した、もしくは録音中の音声を自動的に送出するまたは前記録音した音声を変換した音声ファイルが添付された電子メールを自動的に送信することを特徴とする。
【０００８】
また、本発明の電話装置は、位置検索手段を備える携帯電話機であって、前記自動通報手段は前記位置検索手段が検索した自電話装置が存在する位置に係わる情報を付加して通報することを特徴とする。
【発明の効果】
【０００９】
本発明によれば、緊急通報を含む特定の電話先への電話発信または特定操作と連動して音声を自動録音し、予め登録した通報先に対して前記録音した音声を自動的に送出または音声ファイルが添付された電子メールを自動的に送信する、電話発信または特定操作と連動する通報機能を有する電話装置を提供することができる。
【図面の簡単な説明】
【００１０】
【図１】電話装置の機能ブロック図である。
【図２】通報の例を説明する図である。
【図３】本発明の電話装置の動作を説明するフローチャートである。
【発明を実施するための形態】
【００１１】
以下、本発明の実施の形態について、子供の登下校において子供の両親と学校の先生が子供を見守る場合を例に、図を用いて説明する。
【００１２】
図１は本発明の電話装置１００の機能ブロック図であって、１はアンテナ、２は無線通信部、３は音声入出力部、４はマイク、５はスピーカ、６は通話音声録音再生部、７は音声ファイル変換部、８はメール送信部、９は制御部、１０はダイヤルキー、１１は特定ダイヤル／特定操作検出部、１２は特定電話番号／特定操作登録部、１３はアンテナ、１４はＧＰＳ（Ｇｌｏｂａｌ  Ｐｏｓｉｔｉｏｎｉｎｇ  Ｓｙｓｔｅｍ）受信部／位置検索部、１５は通報メール生成部、１６は定型文登録部、１７は通報先登録部である。
【００１３】
通話音声録音再生部６は、電話装置１００と通話相手端末との間の通話音声を録音する。また、前記通話音声録音再生部６は、予め登録した通報先へ電話発信後、前記録音した通話音声を再生する。
【００１４】
特定ダイヤル／特定操作検出部１１は、電話装置１００の操作者がダイヤルキー１０を押下した特定ダイヤルと特定操作を検出する。
【００１５】
特定電話番号／特定操作登録部１２は、緊急通報先を含む特定の電話先の特定電話番号と特定の操作を電話装置１００の操作者が予め登録してあり、前記登録内容を記憶している。
【００１６】
ＧＰＳ受信部／位置検索部１４は、電話装置１００の現在位置を示すＧＰＳ信号をアンテナ１３から受信して電話装置１００の現在位置を検索する。
【００１７】
通報メール生成部１５は、電話発信または特定操作と連動する通報の際の通報メールを生成する。
【００１８】
定型文登録部１６は、前記特定ダイヤル／特定操作検出部１１が検出した特定ダイヤル又は特定操作によって異なる前記通報メールの通報内容を記憶している。
【００１９】
通報先登録部１７は、前記特定ダイヤル／特定操作検出部１１が検出した特定ダイヤル又は特定操作によって異なる前記通報メールの通報先である電子メールアドレスを記憶している。
【００２０】
電話装置１００の操作者は、ダイヤルキー１０を操作して、前記特定電話番号／特定操作登録部１２、定型文登録部１６、通報先登録部１７の各登録内容を設定変更出来る。
【００２１】
各部の動作については、フローチャートを併用して後で説明する。
【００２２】
図２は本発明の電話発信または特定操作と連動する通報の例を説明する図であって、本通報メールは前記通報メール生成部１５において、生成する。２０１はダイヤル操作、２０２は通報先、２０３は通報手段が電話、２０４は通報手段が電子メール、２０５は通報内容が音声、２０６は通報内容が電子メールであって前記電子メールのタイトル、２０７は通報内容が電子メールであって前記電子メールの本文、２０８は通報の電子メールに音声ファイルを添付する／しないを示す。行２１１〜２１６は、通報の具体例である。
【００２３】
図３は、電話装置１００の動作フローチャートである。以下、図１、図２と併せて動作を説明する。
【００２４】
電話装置１００の操作者は予め、ダイヤルキー１０を操作して、前記特定電話番号／特定操作登録部１２、定型文登録部１６、通報先登録部１７の各種情報を設定してあるものとする。
【００２５】
電話装置１００の操作者Ａ（子）がダイヤルキー１０を使用して、発信操作あるいは特定操作したところから本フローはスタートする。
【００２６】
はじめに、前記操作者である通報元Ａ（子）が登校の途中に交通事故等に遭遇し特定電話番号１１９へ発信した場合の動作について説明する。ダイヤル操作２０１が１１９の場合で通報先２０２が３カ所（Ｂ（父）、Ｃ（母）、Ｄ（先生））ある場合の動作の流れを説明する。
【００２７】
電話装置１００は、特定電話番号への発信を検出したかどうかを例えば５ミリ秒間監視し（Ｓ３００）、前記通報元Ａ（子）がダイヤルキー１０から「１１９」をダイヤルし発信操作をした場合、特定ダイヤル／特定操作検出部１１は特定電話番号／特定操作登録部１２に該当する「１１９」が登録されているかを検出し（Ｓ３００，ＹＥＳ）、相手が応答したかを監視する（Ｓ３０１）。発信先の１１９である消防署が応答した場合（Ｓ３０１，ＹＥＳ）、通話音声録音再生部６は、マイク４から入力された通報元Ａ（子）の通話音声と、アンテナ１、無線通信部２、音声入出力部３を経由してスピーカ５に出力される相手の通話音声の録音を開始する（Ｓ３０２）。
【００２８】
制御部９は、通話の録音終了となる通話終了を監視し（Ｓ３０３）、通話が終了した場合、通話音声録音再生部６は通話録音を終了する（Ｓ３０４）。
【００２９】
制御部９は通報メール生成部１５を経由して、通報先を記憶している通報先登録部１７を検索する（Ｓ３０５）。検索の結果、通報例である行２１１より通報手段が電子メール２０４であることより（Ｓ３０６，ＹＥＳ）、通報先は音声ファイル２０８が添付可であるか検索する（Ｓ３０７）。
【００３０】
通報例である行２１１は音声ファイル２０８を添付することから（Ｓ３０７，ＹＥＳ）、前記通話音声録音再生部６において録音した通話音声を、通報メールに添付出来るように音声ファイル変換部７においてファイル変換し、前記ファイル変換した音声ファイルを通報メールに添付する（Ｓ３１２）。
【００３１】
通話音声を録音した音声ファイルが電子メールに添付されることにより、電子メール受信者は、通話録音内容の詳細を知ることが出来、例えば、１１９番号へ発信した理由が火事であるのか、救急であるのか等の詳細な事柄を知ることが出来る。
【００３２】
通報メール生成部１５において、予め登録してある電子メールのタイトル２０６「１１９発信通報」、本文２０７「通報元Ａ（子）が３月４日の７時５０分に公園前から１１９番に発信しました」、送信先である電子メールアドレスをセットして通報メールを生成する（Ｓ３０８）。前記本文２０７の日時情報は、電話装置１００の日時管理部（図示せず）から取得する。前記本文２０７の位置情報「公園前」は、アンテナ１３、ＧＰＳ受信部／位置検索部１４を経由して情報を得る。
【００３３】
前記タイトル２０６と前記本文２０７は一例であって、電話装置１００の操作者はダイヤルキー１０を操作することによりタイトルと本文の内容を設定変更出来る。
【００３４】
メール送信部８は、生成した前記通報メールを無線通信部２、アンテナ１を経由して通報先へ送信する（Ｓ３０９）。
【００３５】
制御部９は全通報先へ通報完了かを検索し（Ｓ３１０）、完了ではない場合（Ｓ３１０，ＮＯ）、Ｓ３０５に戻り通報先を再検索する。通報例である行２１１の通報手段は前記電子メール２０４の他、電話２０３が有るため（Ｓ３０６，ＮＯ）、電話発信する（Ｓ３１３，ＹＥＳ、Ｓ３１４）。制御部９は電話発信後に相手応答を検出した場合（Ｓ３１５，ＹＥＳ）、通話音声録音再生部６は、予め登録してある音声「通報元Ａ（子）が１１９番へ発信しました」を音声入出力部３経由で通報先へ送信し、Ｓ３０２で取得した通話録音の音声を再生し（Ｓ３１６）、通報例である行２１１を処理する動作はこれで終了する。
【００３６】
通報先として通報例である行２１２と行２１３の処理が残っているため（Ｓ３１０，ＮＯ）、Ｓ３０５に戻る。通報例である行２１２は通報手段が電子メール２０４のみであるため、メール送信のみ処理する（Ｓ３０６，ＹＥＳ）。通報例である行２１３は通報手段が電子メール２０４のみであり（Ｓ３０６，ＹＥＳ）、音声ファイル２０８は添付不可であることより（Ｓ３０７，ＮＯ）音声ファイル２０８の添付無しの通報メールを生成（Ｓ３０８）、送信（Ｓ３０９）して処理を終える。
【００３７】
ダイヤル操作２０１が１１９の場合、通報例である行２１１〜２１３の全通報先へ通報完了（Ｓ３１０，ＹＥＳ）のため本フローは終了する。
【００３８】
次に、前記通報元Ａ（子）が下校の途中に知らない人に声をかけられ困惑し特定操作をした場合の動作について説明する。ダイヤル操作２０１が特定操作の場合で通報先２０２が３カ所（Ｂ（父）、Ｃ（母）、Ｄ（先生））ある場合の動作の流れを説明する。特定操作は、例えば「＃＃＃」であり、前記通報元Ａ（子）は、ダイヤルキー１０を使用して、前記特定操作の登録内容を設定変更出来る。
【００３９】
電話装置１００は、特定電話番号への発信を検出したかどうかを例えば５ミリ秒間監視し（Ｓ３００）、電話装置１００の操作者がダイヤルキー１０から発信操作をせず「＃＃＃」の特定の操作を行った場合、特定ダイヤル／特定操作検出部１１は特定操作「＃＃＃」を検出し（Ｓ３００，ＮＯ、Ｓ３１１，ＹＥＳ）、通話音声録音再生部６は、音声入出力部３経由でマイク４から入力された音声の録音を開始する（Ｓ３０２）。制御部９は、録音終了となるダイヤル操作（例えば＃）を監視し（Ｓ３０３）、録音が終了した場合（Ｓ３０３，ＹＥＳ）、通話音声録音再生部６は録音を終了する（Ｓ３０４）。
【００４０】
Ｓ３０５以降は、前記通報元Ａ（子）が特定電話番号へ発信した場合の動作と同様のため説明を省く。
【００４１】
前記Ｓ３０４において、録音を終了せずに録音中の状態を保ち、Ｓ３０５において通報先を検索し、Ｓ３１４において電話発信し相手が応答後（Ｓ３１５，ＹＥＳ）、録音中の音声を再生、もしくはマイク４から入力された音声のモニタを継続しても良い（Ｓ３１６）。
【００４２】
以上説明した通り、本発明に拠れば、特定電話番号への電話発信後における通話を自動録音し、前記録音した音声データを添付した電子メールを予め登録したメールアドレスに対して自動送信することにより、電話発信と連動する通報をすることが可能である。
【００４３】
さらに、簡単な特定操作でマイクからの音声入力を自動録音し前記録音した、もしくは録音中の音声を変換した音声ファイルを添付した電子メールを予め登録したメールアドレスに対して自動送信することにより、電話発信と連動する通報を起動することが可能である。
【００４４】
なお、本実施例においては、電話回線との接続が無線である携帯電話機を例に説明したが、本発明はこれに限定されない。例えば、本電話装置は、有線通信による電話装置や有線ＬＡＮ電話機等であっても良い。
【００４５】
さらに本電話装置は、ビジネスホンシステムや構内交換機（ＰＢＸ）の内線電話機であっても良い。
【符号の説明】
【００４６】
１００…電話装置、１…アンテナ、２…無線通信部、３…音声入出力部、４…マイク、
５…スピーカ、６…通話音声録音再生部、７…音声ファイル変換部、８…メール送信部、
９…制御部、１０…ダイヤルキー、１１…特定ダイヤル／特定操作検出部、
１２…特定電話番号／特定操作登録部、１３…アンテナ、
１４…ＧＰＳ受信部／位置検索部、１５…通報メール生成部、１６…定型文登録部、
１７…通報先登録部、
２０１…ダイヤル操作、２０２…通報先、２０３…通報手段（電話）、
２０４…通報手段（電子メール）、２０５…通報内容（音声）、
２０６…通報内容（電子メールタイトル）、２０７…通報内容（電子メール本文）、
２０８…音声ファイル
【図１】
2011188078.tif 000003
【図２】
2011188078.tif 000004
【図３】
2011188078.tif 000005